(57)【要約】 【課題】  取付け部材を下地部材に容易かつ確実に取付けることができる下端水切り装置を提供する。【解決手段】  垂れ壁４０の下端部に設けられる下地部材３１に、第１取付け部材３３と、複数の挿通孔６８，６９が形成される第２取付け部材３３とを装着し、第２取付け部材３３の基部に保持部材３４を固定し、保持部材３４にカバー体３５を装着する。【選択図】      図１
2008202243.tif 000002
【特許請求の範囲】
【請求項１】
建物の垂れ壁の下端部に、水平に固定される長尺の下地部材であって、前記垂れ壁の一方の壁面に沿って配置される垂直部と、前記垂れ壁の下面に沿って配置される水平部とを有する下地部材と、
前記下地部材の垂直部に沿って配置される板状の第１基部を有し、垂直部の上端部分に、前記垂直部に上方から掛け止められる第１係止部が設けられ、前記第１基部の下端部に、前記下地部材の水平部に沿って延びる第１折曲げ部が設けられる短尺の第１取付け部材と、
前記下地部材の水平部に沿って配置される板状の第２基部を有し、水平部の前記垂れ壁の他方の壁面寄りに配置される一端部に、前記水平部に他方の壁面側から掛け止められる第２係止部が設けられ、前記第２基部の前記垂れ壁の一方の壁面寄りの他側部に、前記下地部材の垂直部に沿って延びる第２折曲げ部が設けられる短尺の第２取付け部材と、
前記第２係止部よりも前記一方の壁面が臨む内側および前記他方の壁面が臨む外側に嵌合受部がそれぞれ設けられ、前記第２取付け部材の第２基部に固定される保持部材と、
前記保持部材の各嵌合受部にそれぞれ嵌合する嵌合部を有し、各嵌合部が各嵌合受部に嵌合して前記保持部材に装着されるカバー体とを含み、
前記第１折曲げ部および第２折曲げ部のいずれか一方には、前記第１折曲げ部および第２折曲げ部のいずれか他方が挿通することができる複数のスリットが長手方向に間隔をあけて形成されることを特徴とする下端水切り装置。
【請求項２】
前記第１折曲げ部および第２折曲げ部のいずれか他方には、複数の脆弱部が前記長手方向に間隔をあけて形成されることを特徴とする請求項１に記載の下端水切り装置。
【請求項３】
前記保持部材は、外周部に外ねじが形成された軸部を有するねじ部材によって、前記第２取付け部材に固定され、
前記保持部材には、前記ねじ部材の軸部が挿通し、各嵌合受部間にわたる幅方向に延びる長孔が形成されることを特徴とする請求項１または２に記載の下端水切り装置。
【発明の詳細な説明】
【技術分野】
【０００１】
本発明は、建物の垂れ壁の下端部に好適に実施することができる下端水切り装置に関する。
【背景技術】
【０００２】
図７は従来技術の下端水切り装置１を示す鉛直断面図であり、この従来技術はたとえば特許文献１に記載されている。建物の垂れ壁２の下端部３には、天井材４を支持し、かつ雨水の屋内５側への廻り込みを防止するため、下端水切り装置１が設けられる。前記垂れ壁２は、軽量気泡コンクリートパネル（Autoclaved lightweight aerated concrete     panels：略称ＡＬＣ）などの外装材から成る。
【０００３】
下端水切り装置１は、前記垂れ壁２の下端部３に固定されたアングルとも呼ばれる形鋼材から成る長尺の下地部材６に取付けられ、この下地部材６対する面倒な加工を必要とせず、容易にかつ簡単な施工によって、見切縁とも呼ばれるカバー体７を下地部材６に取付けるために、長尺の下地部材６にその水平部８の先端部分と垂直部９の上端部分とを挟持する短尺の取付け部材１０を取付け、取付け部材１０に短尺のホルダ１１を固定して、ホルダ１１に長尺の前記カバー体７を装着するように構成されている。
【０００４】
前記下地部材６には、水平部８と垂直部９の幅寸法の違いによって複数の種類があるが、水平部８および垂直部９の幅寸法の違いがあっても、カバー体７を適正な位置に取付けるためには、取付け部材１０およびホルダ１１を下地部材６の種類の数だけ用意しなければならず、不経済であるという問題がある。
【０００５】
このような問題を解決するため、この従来技術では、前記取付け部材１０は、下地部材６の水平部８の先端部分に係止される第１係止部１２を有する水平部１３と、下地部材６の垂直部９の上端部分に係止される第２係止部１４を有する垂直部１５とが一体的に形成される短尺の取付け部材１０が用いられる。取付け部材１０は、第１係止部１２および第２係止部１４によって、下地部材６の水平部８の先端部分と垂直部９の上端部分とを挟持し、下地部材６の図７の紙面に垂直な長手方向に間隔をあけて複数、設けられる。これらの取付け部材１０には、短尺のホルダ１１をビス１６によってそれぞれ固定し、各ホルダ１１に長尺のカバー体７が装着される。
【０００６】
図８は図７に示される取付け部材１０の展開斜視図である。前記取付け部材１０は、第１係止部１２と第２係止部１４との間に、取付け部材１０の長手方向に間隔をあけて各複数のスリット２０，２１が形成され、下地部材６の水平部８の幅寸法に対応する位置で、図７に示されるように、垂直部１５を水平部１３に対して容易に折り曲げることができるように構成されている。
【０００７】
このような取付け部材１０の取付け作業は、現場において手作業によって行われ、第１係止部１２を下地部材６の水平部８の先端部分と垂れ壁２の下端部３の下端面との間に差込み、下地部材６の水平部８の幅寸法に対応する位置に形成されるスリット２０またはスリット２１で垂直部１５を水平部１３に対してほぼ直角に折曲げ、アンカープラグ２２を予め垂れ壁２の屋内５側の壁面に埋め込まれたアンカーナット２３に螺着して、第２係止部１４を固定する。その後、取付け部材１０の水平部１３にホルダ１１をビス１６によって固定し、ホルダ１１にカバー体７を装着して、下端水切り装置１の取付け作業が完了する。
【０００８】
【特許文献１】実公平２−８０１８号公報
【発明の開示】
【発明が解決しようとする課題】
【０００９】
前記従来の技術では、取付け部材１０には複数列のスリット２０，２１を形成することによって複数箇所に脆弱部を設け、水平部１３に対して垂直部１５を下地部材６の水平部８の幅寸法に対応する脆弱部で容易に折り曲げることができるように構成されるが、取付け部材１０の展開状態における第１および第２係止部１２，１４間の前記長手方向の長さＬ１は一定であるため、垂直部１５を前述のように下地部材６の水平部８の幅寸法に相当する位置で正確に折り曲げると、垂直部１５の長さＬ２（図７参照）は、全長Ｌ１から水平部１３の長さＬ３を差し引いた残りの長さ（Ｌ２＝Ｌ１−Ｌ３）になり、下地部材６の水平部８の幅寸法と垂直部９の幅寸法とが等しい場合のみ、取付け部材１０の第２係止部１４を取付け部材１０の垂直部９の上端部分に係止することができる。しかし取付け部材１０は、現場でスリット２０または２１が形成される部分で手作業によって折り曲げるため、折り曲げ位置が取付け部材１０の前記長手方向に垂直でかつスリット２０または２１上を通る軸線からずれると、第１係止部１２を水平部８の先端部分に係止した状態で第２係止部１４を垂直部９の上端部分に係止することができなくなる。そのため、取付け部材１０を折り曲げる際に、下地部材６の水平部８の幅寸法Ｌ３に対応する位置で前記長手方向に垂直でかつスリット２０または２１上を通る軸線に沿って正確に折り曲げなければならず、取付け部材１０の下地部材６への取付け作業に手間を要するという問題がある。
【００１０】
また、この従来の技術では、取付け部材１０はその長さＬ１が一定であるため、取付け部材１０の長さＬ１が下地部材６の水平部８の幅寸法および垂直部６の幅寸法の合計値よりも大きい場合であっても、取付け部材１０の折曲げ位置が下地部材６の水平部８の幅寸法に対して僅かに長くなる側へずれると、取付け部材１０の垂直部１５が下地部材６の垂直部９から離間して面接触させることができず、また折曲げ位置が下地部材６の水平部８の幅寸法に対して僅かに短くなる側へずれると、取付け部材１０の垂直部１５は下地部材６の垂直部９に干渉して面接触させることができない。
【００１１】
したがって第１係止部１２を下地部材６の水平部８の先端部分に係止できたとしても、取付け部材１０毎の折曲げ位置の僅かな相違によって取付け状態にばらつきを生じ易く、取付け部材の下地部材への取付け状態に対する信頼性が低いという問題がある。
【００１２】
本発明の目的は、取付け部材を下地部材に容易にかつ確実に取付けることができる下端水切り装置を提供することである。
【課題を解決するための手段】
【００１３】
本発明は、建物の垂れ壁の下端部に、水平に固定される長尺の下地部材であって、前記垂れ壁の一方の壁面に沿って配置される垂直部と、前記垂れ壁の下面に沿って配置される水平部とを有する下地部材と、
前記下地部材の垂直部に沿って配置される板状の第１基部を有し、垂直部の上端部分に、前記垂直部に上方から掛け止められる第１係止部が設けられ、前記第１基部の下端部に、前記下地部材の水平部に沿って延びる第１折曲げ部が設けられる短尺の第１取付け部材と、
前記下地部材の水平部に沿って配置される板状の第２基部を有し、水平部の前記垂れ壁の他方の壁面寄りに配置される一端部に、前記水平部に他方の壁面側から掛け止められる第２係止部が設けられ、前記第２基部の前記垂れ壁の一方の壁面寄りの他側部に、前記下地部材の垂直部に沿って延びる第２折曲げ部が設けられる短尺の第２取付け部材と、
前記第２係止部よりも前記一方の壁面が臨む内側および前記他方の壁面が臨む外側に嵌合受部がそれぞれ設けられ、前記第２取付け部材の第２基部に固定される保持部材と、
前記保持部材の各嵌合受部にそれぞれ嵌合する嵌合部を有し、各嵌合部が各嵌合受部に嵌合して前記保持部材に装着されるカバー体とを含み、
前記第１折曲げ部および第２折曲げ部のいずれか一方には、前記第１折曲げ部および第２折曲げ部のいずれか他方が挿通することができる複数のスリットが長手方向に間隔をあけて形成されることを特徴とする下端水切り装置である。
【００１４】
本発明に従えば、建物の垂れ壁の下端部に長尺の下地部材が水平に固定され、垂直部が垂れ壁の一方の壁面に沿って配置され、水平部は垂れ壁の下面に沿って配置され、このような下地部材によって垂れ壁の下端部が補強される。
【００１５】
前記下地部材には、第１取付け部材と第２取付け部材とが設けられる。前記第１折曲げ部および第２折曲げ部のいずれか一方には、前記第１折曲げ部および第２折曲げ部のいずれか他方が挿通することができる複数の挿通孔が、長手方向に間隔をあけて形成される。前記複数の挿通孔が第１折曲げ部に形成される場合には、第２折曲げ部が前記第１折曲げ部の複数の挿通孔のいずれか１つに挿通され、下地部材の垂直部側へ折り曲げられて前記垂直部に沿って配置され、第１折曲げ部は下地部材の水平部側へ折り曲げられて前記水平部に沿って配置される。また、前記複数の挿通孔が第２折曲げ部に形成される場合には、第１折曲げ部が前記第２折曲げ部の複数の挿通孔のいずれか１つに挿通され、下地部材の水平部側へ折り曲げられて前記水平部に沿って配置され、第２折曲げ部は下地部材の垂直部側へ折り曲げられて前記垂直部に沿って配置される。
【００１６】
このように第１および第２折曲げ部のいずれに挿通孔が形成されても、第１折曲げ部は第２取付け部材の第２基部が下地部材の水平部から離反することを阻止し、第１係止部が下地部材の垂直部の上端部分から離脱することを阻止するので、第１および第２取付け部材は、第１および第２折曲げ部を折り曲げるという簡単な操作によって、下地部材に容易かつ確実に取付けられる。
【００１７】
また、前記挿通孔は、第１取付け部材または第２取付け部材の長手方向に間隔をあけて複数、形成されるので、下地部材の水平部または垂直部の幅寸法が異なる場合であっても、前記水平部および垂直部の幅寸法に対応した挿通孔を用いて第１および第２取付け部材を下地部材に取付けることができる。
【００１８】
こうして下地部材に取付けられた第２取付け部材には、保持部材が設けられる。保持部材は、前記第２係止部よりも一方の壁面が臨む内側および前記他方の壁面が臨む外側に嵌合受部をそれぞれ有し、第２取付け部材の第２基部に固定される。第２取付け部材に固定された保持部材には、カバー体が装着される。カバー体は、前記保持部材に装着された状態では、保持部材の各嵌合受部にカバー体の嵌合部がそれぞれ嵌合し、カバー体の脱落が防止される。
【００１９】
また本発明は、前記第１折曲げ部および第２折曲げ部のいずれか他方には、複数の脆弱部が前記長手方向に間隔をあけて形成されることを特徴とする。
【００２０】
本発明に従えば、前記第１折曲げ部および第２折曲げ部のいずれか他方に複数の脆弱部が形成されるので、下地部材の水平部および垂直部の幅寸法に対応する折曲げ位置の脆弱部で、前記複数の挿通孔が形成されていない第１折曲げ部または第２折曲げ部を容易にかつ正確に折り曲げることができ、下地部材への第１および第２取付け部材の取付け作業を容易化することができる。
【００２１】
また本発明は、前記保持部材は、外周部に外ねじが形成された軸部を有するねじ部材によって、前記第２取付け部材に固定され、
前記保持部材には、前記ねじ部材の軸部が挿通し、各嵌合受部間にわたる幅方向に延びる長孔が形成されることを特徴とする。
【００２２】
本発明に従えば、前記保持部材に長孔が形成されるので、保持部材を第２取付け部材に対して前記長孔に沿って移動させて、保持部材の第２取付け部材への取付け位置を容易に調整して位置決めし、保持部材を第２取付け部材に正確に取付けることができる。
【発明の効果】
【００２３】
本発明によれば、第１取付け部材の第１折曲げ部によって第２取付け部材の下地部材からの離脱が防止され、第２取付け部材の第２折曲げ部によって第１取付け部材の下地部材からの離脱が防止され、これによって第１および第２取付け部材を下地部材に確実に取付けることができる。また、第１および第２折曲げ部のいずれか一方には、複数の挿通孔が形成され、これらの挿通孔のうちの１つに第１および第２折曲げ部のいずれか他方を挿通するように構成されるので、水平部または垂直部の幅寸法が相違する下地部材であっても、前記他方の折曲げ部を前記幅寸法に対応した挿通孔に挿通させればよく、これによって下地部材の幅寸法の相違に応じて、形状の異なる複数種類の取付け部材を準備する必要がなく、取付け部材の種類が少なくて済み、取付け部材の製造コスト、現場への搬入の手間を低減し、第１および第２取付け部材を用いて下地部材に保持部材およびカバー体を取付けることができる。
【００２４】
また本発明によれば、前記第１折曲げ部および第２折曲げ部のいずれか他方に複数の脆弱部が形成されることによって、第１折曲げ部または第２折曲げ部を容易にかつ正確に折り曲げることができ、取付け作業の作業性を向上することができる。
【００２５】
また本発明によれば、前記保持部材に長孔が形成されることによって、保持部材の第２取付け部材に対する位置決めを容易に行うことができ、保持部材を第２取付け部材に正確に取付けることができる。
【発明を実施するための最良の形態】
【００２６】
図１は本発明の実施の一形態の下端水切り装置３０を示す鉛直断面図である。本実施の形態では、第２取付け部材３３の第２折曲げ部６１に複数のスリット状の挿通孔６８，６９が形成され、第１取付け部材３２の第１折曲げ部５４に複数のスリット７０，７１が形成される場合について説明する。下端水切り装置３０は、下地部材３１と、第１取付け部材３２と、第２取付け部材３３と、保持部材３４と、カバー体３５とを含み、下地部材３１にその長手方向に間隔をあけて第１および第２取付け部材３２，３３を取付け、各第２取付け部材３３に保持部材３４をそれぞれ連結し、各保持部材３４に長尺のカバー体３５を装着するように構成される。
【００２７】
前記下地部材３１は、建物の垂れ壁４０の下端部４１に固定され、垂れ壁４０の屋内側の一方の壁面４２に沿って配置される垂直部４３と、垂れ壁４０の下面４４に沿って配置される水平部４５とを有する。下地部材３１は、図１の紙面に垂直な水平方向に延び、長尺のＬ形鋼によって実現される。前記垂れ壁４０は、軽量気泡コンクリートパネル（    Autoclaved lightweight aerated concrete panels；略称ＡＬＣ）から成る。
【００２８】
下地部材３１は、Ｌ形鋼からなり、長手方向両端部が建物の躯体に連結され、前記垂れ壁４０を支持する補強部材として設けられる。第１および第２取付け部材３２，３３ならびに保持部材３４は、高い耐腐食性および機械的強度の要求からステンレス鋼板を打抜き曲げ加工した材料から成る。カバー体３５は、アルミニウム合金の押出し形材から成る。
【００２９】
図２は第１および第２取付け部材３２，３３を分離した展開状態を示す斜視図である。図１をも参照して、前記第１取付け部材３２は、下地部材３１の垂直部４３に沿って平行に配置される矩形板状の第１基部５０を有し、この第１基部５０の上端部分５１に、前記下地部材３１の垂直部４３の上端部分に上方から掛け止められる断面凹状の第１係止部５２が設けられ、前記第１基部５０の下端部５３には、図２の仮想線で示されるように、下地部材３１の水平部４５に沿って平行に延びる第１折曲げ部５４が設けられる。
【００３０】
第２取付け部材３３は、下地部材３１の水平部４５に沿って平行に配置される板状の第２基部５６を有し、この第２基部５６の前記垂れ壁４０の他方の壁面５７寄りに配置される一側部５８に、前記下地部材３１の水平部４５の先端部分に他方の壁面５７側から掛け止められる断面凹状の第２係止部５９が設けられ、前記第２基部５６の前記垂れ壁４０の一方の壁面４２寄りの他側部６０に、前記下地部材３１の垂直部４３に沿って平行に延びる第２折曲げ部６１が設けられる。
【００３１】
図３は下端水切り装置３０の分解斜視図である。図１および図２をも参照して、前記保持部材３４は、第２係止部５９よりも一方の壁面４２が臨む屋内側および前記他方の壁面５７が臨む屋外側に嵌合受部６３，６４がそれぞれ設けられ、前記第２取付け部材３３の第２基部５６にビス６５によって固定される。前記カバー体３５は、保持部材３４の各嵌合受部６３，６４にそれぞれ嵌合して支持される嵌合部６６，６７を有し、各嵌合部６６，６７が各嵌合受部６３，６４に嵌合させることによって、前記保持部材３４にカバー体３５が着脱可能に装着される。
【００３２】
前記第１取付け部材３２において、第１折曲げ部５４には、長手方向に垂直な幅方向に延びる複数列のスリット７０，７１が形成され、これらのスリット７０，７１によって、第１折曲げ部５４には複数列の脆弱部７２，７３が各スリット７０，７１毎に形成される。前記第２折曲げ部６１には、前記第１折曲げ部５４が挿通することができる複数の挿通孔６８，６９が長手方向に間隔をあけて形成される。
【００３３】
第１折曲げ部５４は、第２取付け部材３３の第１折曲げ部６１に形成された一方の挿入孔６８の幅寸法よりも僅かに小さい幅寸法の第１挿入部分９０と、第１折曲げ部６１に形成された他方の挿入孔６９の幅寸法よりも僅かに小さい幅寸法の第２挿入部分９１とを有する。第１挿入部分９０の幅寸法は、第１基部５０の幅寸法よりも小さく、第２挿入部分９１の幅寸法は第１挿入部分９０の幅寸法よりも小さく、第１基部５０、第１挿入部分９０および第２挿入部分９１の順に、段階的に幅寸寸法が小さく形成される。
【００３４】
第１挿入部分９０の脆弱部７２は、第１挿入部分９０の前記スリット７０が形成される有効断面の少ない残余の部分によって実現される。また第２挿入部分９１の脆弱部７３は、第２挿入部分９１の前記スリット７１が形成される有効断面の少ない残余の部分によって実現される。このように各脆弱部７２，７３は、その両側の領域に比べて有効断面が小さく形成されるので、現場で作業が容易に折り曲げることができる。各スリット７０，７１の前記長手方向の間隔は、下地部材３１の垂直部４３の幅寸法が日本工業規格（略称ＪＩＳ）などによって多段階的に規定されているため、この垂直部４３の幅寸法に応じた間隔で形成することによって、下地部材３１として異なる断面寸法が異なるものが用いられた場合であっても、第１脆弱部７２で折り曲げるか、第２脆弱部７３で折り曲げるかを選択することによって、下地部材３１の垂直部４３の幅寸法に合致した折曲げ位置で容易にかつ正確に折り曲げることができる。
【００３５】
第２折曲げ部６１には、前述のように第１の挿入孔６８と第２の挿入孔６９とが長手方向に間隔をあけて形成されるとともに、第１の挿入孔６８の幅方向両側に一対の切欠き９２ａ，９２ｂが形成され、さらに第２の挿入孔６９の幅方向両側に一対の切欠き９３ａ，９３ｂが形成される。第２折曲げ部６１に前記第１の挿入孔６８とその両側の切欠き９２ａ，９２ｂとが形成されることによって、第２折曲げ部６１と第２基部５６とを連結する第１脆弱部９４が形成され、第２の挿入孔６９とその両側の切欠き９３ａ，９３ｂとが形成されることによって、第２脆弱部９５が形成される。
【００３６】
第１の挿入孔６８と第２の挿入孔６９との長手方向の間隔および第１の各切欠き９２ａ，９２ｂと第２の各切欠き９３ａ，９３ｂとの長手方向の間隔は、前述のスリット７０とスリット７１との間隔の決め方と同様に、下地部材３１の水平部４５の幅寸法が日本工業規格（略称ＪＩＳ）などによって多段階的に規定されているため、この水平部４５の幅寸法に応じた間隔で形成することによって、下地部材３１として異なる断面寸法が異なるものが用いられた場合であっても、第１脆弱部９４で折り曲げるか、第２脆弱部９５で折り曲げるかを選択し、下地部材３１の水平部４５の幅寸法に合致した折曲げ位置で容易にかつ正確に折り曲げることができる。
【００３７】
これらの脆弱部７２，７３；９４，９５が前記第１および第２折曲げ部５４，６１に形成されることによって、下地部材３１の垂直部４３および水平部４５の幅寸法に対応する折曲げ位置を容易に選択して第１および第２折曲げ部５４，６１の折曲げ位置が第１および第２係止部５２，５９と平行になるように正確に折り曲げることができ、下地部材３１への第１および第２取付け部材３２，３３の取付け作業を容易化し、信頼度の高い取付け状態を容易に達成することができる。
【００３８】
第２取付け部材３３の第２基部５６には、複数（本実施の形態では４）の立ち上がり片９６ａ，９６ｂ，９６ｃ，９６ｄが形成される。これらの立ち上がり片９６ａ〜９６ｄは、第２取付け部材３３が下地部材３１の水平部４５に取付けられた状態で、水平部４５の下面に下方から当接し、水平部４５の先端部分に第２係止部５９の折り返し部分が掛け止められた状態で上限のがたつきが防止される。
【００３９】
前記保持部材３４は、外周部に外ねじが形成された軸部を有するねじ部材であるビス６５によって第２基部５６に固定され、前記保持部材３４の第２基部５６にはまた、前記ビス６５の軸部が挿通し、各嵌合受部６３，６４間にわたる幅方向（図１の左右方向）に延びる一対の長孔７４が形成される。保持部材３４は、前記一対の長孔７４が形成される基部１１０と、基部１１０の屋外に臨む壁面５７側に配置される一端部にほぼ直角に連なる第１脚部１１１と、基部１１０の屋内に臨む壁面４２側に配置される他端部にほぼ直角に連なる第２脚部１１２と、基部１１０の前記一端部から上方に立上る立上り部１１３とを有する。基部１１０と第１脚部１１１と立上り部１１３とが交差する部分には、前記嵌合受部６３がＬ字状の受け面を屋外側でかつ上方に臨ませて形成される。また第２脚部１１２の下端部近傍には、前記嵌合受部６４がＬ字状の受け面を屋内側でかつ上方に臨ませて形成される。
【００４０】
前記保持部材３４には、前記カバー体３５が着脱可能に装着される。カバー体３５は、前記立上り部１１３に当接する第１壁部１２０、第１壁部１２０の下端部から屋外側に向かって下方に傾斜する第２壁部１２１、第２壁部１２１の最も屋外側でかつ下方に配置される端部に連なって下方に延びる第３壁部１２２、第３壁部の下端部から屋内側に向かって水平に延びる第４壁部１２３、第４壁部１２３の最も屋内側の端部から上方に立ち上がる第５壁部１２４、第５壁部の上端部から屋内側に突出する第６壁部１２５、および第３壁部１２２の下端部と第４壁部１２３の屋外側の端部との交差部から下方に突出する水切り突部１２６を有する。このカバー体３４は、長尺材であって、アルミニウム合金の押出し形材によって形成されてもよく、ステンレス鋼板の曲げ加工材によって形成されてもよい。
【００４１】
保持部材３４の前記第６壁部１２５の遊端部１３１は、嵌合受部６４に嵌合して支持される。前記第１壁部１２０と第２壁部１２１との交差部１３２は、前記嵌合受部６３に嵌合して支持される。またカバー体３５に水切り突部１２６が設けられるので、屋外から垂れ壁４０およびカバー体３５に付着した雨水は、第２壁部１２１から第３壁部１２２に導かれ、水切り突部１２６から自重によって落下し、第４壁部１２３を伝って屋内側へ回り込むことが防がれる。
【００４２】
また前記保持部材３４の第１脚部１１１の基端部は、下方になるにつれて第２脚部１１２寄りに傾斜し、第２脚部１１２の前記嵌合受部６４から下方に延びる下端部は、下方になるにつれて第１脚部１１寄りに傾斜する。これらの第１脚部１１１の傾斜部および第２脚部１１２の傾斜部が形成されので、前記カバー体３５を保持部材３４に下から装着するとき、第１壁部１２０から交差部１３２が第１脚部１１１の傾斜した基端部によって案内され、カバー体３５の遊端部１３１が第２脚部１１２の傾斜した下端部によって案内され、各嵌合受部６３，６４に弾発的に嵌着させ、カバー体３５を保持部材３４に着脱可能にかつ大きな挟着力で装着し、天井板１３６の側縁部を確実に支持し、容易に脱落することが防がれる。
【００４３】
図４は断面形状の異なる下地部材３１ａ，３１ｂへの下端水切り装置３０の取付け状態を示す鉛直断面図であり、図４（ａ）は断面が小さい下地部材３１ａに下端水切り装置３０が取付けられた状態を示し、図４（ｂ）は断面が大きい下地部材３１ｂに下端水切り装置３０が取付けられた状態を示す。
【００４４】
建物の垂れ壁４０の下端部４１には、断面形状の異なる２種の下地部材３１ａ，３１ｂがほぼ水平に張架されて固定される。これらの下地部材３１ａ，３１ｂの長手方向両端部は、建物の躯体にそれぞれ連結され、垂れ壁４０の延在距離、すなわち水平方向のスパンが短い部分には、断面の小さい一方の下地部材３１ａが用いられ、前記スパンが長い部分には、断面の大きい他方の下地部材３１ｂが用いられ、図４（１）および図４（２）に示されるように、垂れ壁４０の下端部４１をそれぞれ支持し、表面を補強している。なお、断面の異なる各下地部材３１ａ，３１ｂを総称する場合には、添え字ａ，ｂを省略して「下地部材３１」と記す。
【００４５】
垂れ壁４０の下端部４１には、垂れ壁４０の他方の壁面５７から下面４４を経て一方の壁面４２側に雨水が廻り込むことを防止するために、前述の下端水切り装置３０が設けられる。この下端水切り装置３０を設けるに際しては、まず第１取付け部材３２の第１係止部５２を、下地部材３１ａ，３１ｂの垂直部４３の上端部分に掛け止め、次に第２取付け部材３３の第２係止部５９を下地部材３１ａ，３１ｂの水平部４５の先端部分に掛け止め、第２取付け部材３３の挿通孔６８に第１取付け部材３２の第１折曲げ部５４を挿通させて、水平部４５とほぼ平行となるように折り曲げ、第１取付け部材３２から突出した第２折曲げ部６１を垂直部４３とほぼ平行となるように折り曲げる。この状態では、第１および第２取付け部材３２，３３の下地部材３１ａ，３１ｂからの離脱が防がれるとともに、第１折曲げ部５４を挿通する挿通孔６８を各下地部材３１ａ、３１ｂの水平部４５の幅寸法にほぼ等しい位置に形成されたものを選択することができ、下地部材３１ａの断面形状に適合させることができる。
【００４６】
このような第１および第２折曲げ部５４，６１には、いずれに挿通孔が形成されても、第１折曲げ部５４は第２取付け部材３３の第２基部５６が下地部材３１の水平部４５から離反することを阻止し、第１係止部５２が下地部材３１の垂直部４３の上端部分から離脱することを阻止するので、第１および第２取付け部材３３は、第１および第２折曲げ部６１を折り曲げるという簡単な操作によって、下地部材３１に容易かつ確実に取付けられる。
【００４７】
また、前記挿通孔６８，６９は、第１取付け部材３２または第２取付け部材３３の長手方向に間隔をあけて複数、形成されるので、下地部材３１の水平部４５または垂直部４３の幅寸法が異なる場合であっても、前記水平部４５および垂直部４３の幅寸法に対応した挿通孔を用いて第１および第２取付け部材３２，３３を下地部材３１に取付けることができる。
【００４８】
こうして下地部材３１に取付けられた第２取付け部材３３には、保持部材３４が設けられる。保持部材３４は、前記第２係止部５９よりも一方の壁面４２が臨む内側および前記他方の壁面５７が臨む外側に嵌合受部６６，６７をそれぞれ有し、第２取付け部材３３の第２基部５６に固定される。第２取付け部材３３に固定された保持部材３４には、カバー体３５が装着される。カバー体３５は、前記保持部材３４に装着された状態では、保持部材３４の各嵌合受部６３，６４にカバー体３５の嵌合部６６，６７がそれぞれ嵌合し、カバー体３５の脱落が防止される。
【００４９】
図５は本発明の実施の他の形態の第２取付け部材３３ａを示す一部の断面図である。前述の実施形態では、脆弱部７２，７３がスリット７０，７１によって実現されたが、本発明の実施の他の形態の第２取付け部材３３ａには、脆弱部７２，７３が凹溝７０ａ，７１ａを形成することによって実現される。
【００５０】
図６は本発明の実施のさらに他の形態の第２取付け部材３３ｂを示す一部の断面図である。前述の図１〜図４に示される実施の形態では、脆弱部７２，７３がスリット７０，７１によって実現されたが、本発明の実施の他の形態の第２取付け部材３３ｂには、脆弱部７２，７３が各複数の透孔７０ｂ，７１ｂを図６の紙面に垂直な幅方向に間隔をあけて形成することによって実現される。
【図面の簡単な説明】
【００５１】
【図１】本発明の実施の一形態の下端水切り装置３０を示す鉛直断面図である。
【図２】第１および第２取付け部材３２，３３を分離した展開状態を示す斜視図である。
【図３】下端水切り装置３０の分解斜視図である。
【図４】大きさの異なる下地部材３１ａ，３１ｂへの下端水切り装置３０の取付け状態を示す鉛直断面図であり、図４（ａ）は小形の下地部材３１ａに下端水切り装置３１ａが取付けられた状態を示し、図４（ｂ）は大形の下地部材３１ｂに下端水切り装置３１ｂが取付けられた状態を示す。
【図５】本発明の実施の他の形態の第２取付け部材３３ａを示す一部の断面図である。
【図６】本発明の実施のさらに他の形態の第２取付け部材３３ｂを示す一部の断面図である。
【図７】従来技術の下端水切り装置１を示す鉛直断面図である。
【図８】図７に示される取付け部材１０の展開斜視図である。
【符号の説明】
【００５２】
３０  下端水切り装置
３１  下地部材
３２  第１取付け部材
３３  第２取付け部材
３４  保持部材
３５  カバー体
４０  垂れ壁
４１  垂れ壁４０の下端部
４２  一方の壁面
４３  下地部材３１の垂直部
４４  垂れ壁４０の下面
４５  下地部材３１の水平部
５０  第１基部
５１  上端部
５２  第１係止部
５３  第１基部５０の下端部
５４  第１折曲げ部
５６  第２基部
５７  他方の壁面
５８  一側部
５９  第２係止部
６０  他側部
６１  第２折曲げ部
６３，６４  嵌合受部
６６，６７  嵌合部
６８，６９  挿通孔
７０，７１  スリット
７４  長孔
【図１】
2008202243.tif 000003
【図２】
2008202243.tif 000004
【図３】
2008202243.tif 000005
【図４】
2008202243.tif 000006
【図５】
2008202243.tif 000007
【図６】
2008202243.tif 000008
【図７】
2008202243.tif 000009
【図８】
2008202243.tif 000010